(57)【要約】      （修正有）【課題】レンズに対する光源の焦点を調整することができる歯車焦点調整ライトを提供する。【解決手段】歯車焦点調整ライトは、筐体１０と、筐体１０上に取付けられた調節つまみと、筐体１０内に取付けられたラックギヤアセンブリ３０と、歯車アセンブリ４０と、光源５０と、レンズ６０とを備える。筐体１０上には、出光口１３が設けられる。レンズ６０、光源５０及びラックギヤアセンブリ３０は、出光口１３に外側から内側にかけて順次配設される。光源５０は、レンズ６０の一側のラックギヤアセンブリ３０上に取付けられるとともにレンズ６０に対して内外対向配置される。歯車アセンブリ４０は、調節つまみの内側面上に取付けられる。歯車アセンブリ４０上には、伝動歯車が配設される。ラックギヤアセンブリ３０上には、ラックギヤフレーム３１が設けられる。【選択図】図２
0003228549.tif 000002
【実用新案登録請求の範囲】
【請求項１】
筐体と、前記筐体上に取付けられた調節つまみと、前記筐体内に取付けられたラックギヤアセンブリと、歯車アセンブリと、光源と、レンズと、を備えた、歯車焦点調整ライトであって、
前記筐体上には、出光口が設けられ、
前記レンズ、前記光源及び前記ラックギヤアセンブリは、前記出光口に外側から内側にかけて順次配設され、前記光源は、前記レンズの一側の前記ラックギヤアセンブリ上に取付けられるとともに前記レンズに対して内外対向配置され、
前記歯車アセンブリは、前記調節つまみの内側面上に取付けられ、
前記歯車アセンブリ上には、伝動歯車が配設され、
前記ラックギヤアセンブリ上には、ラックギヤフレームが設けられ、
前記ラックギヤアセンブリの底面中央部には、上下に完全に貫通した位置調整長孔が形成され、
前記位置調整長孔は、出光方向で前後に延びて形成されるとともに、延伸方向の内側面上に配設されたラックギヤを有し、
前記伝動歯車は、前記ラックギヤと噛合されることを特徴とする、歯車焦点調整ライト。
【請求項２】
前記調節つまみは、調節部と、前記調節部の内側に配設された位置規制部と、を有し、
前記調節部は、前記筐体の外側に配設され、
前記位置規制部は、前記筐体の内側に配設され、
前記伝動歯車は、前記位置規制部上に配設されることを特徴とする請求項１に記載の歯車焦点調整ライト。
【請求項３】
前記筐体の底面上には、底壁に上下に完全に貫通した貫通孔が形成され、
前記調節つまみは、前記調節部及び前記位置規制部に接続された接続部を有し、
前記接続部は、前記貫通孔内に挿通されることを特徴とする請求項２に記載の歯車焦点調整ライト。
【請求項４】
前記筐体の内側の互いに対向した両側面上には、スライド溝がそれぞれ形成され、
スライド溝フレームの両側は、対応した前記スライド溝内にそれぞれ係合されるとともに、前記スライド溝の前後で移動することを特徴とする請求項１に記載の歯車焦点調整ライト。
【請求項５】
前記ラックギヤフレームは、底板と、前記底板の一側に配設された側板と、を有し、
前記位置調整長孔は、前記底板上に形成され、
前記光源は、前記側板の外側面上に取付けられることを特徴とする請求項１に記載の歯車焦点調整ライト。
【請求項６】
前記歯車アセンブリは、伝動軸を有し、
前記伝動軸は、底端が前記調節つまみの内側面上に接続され、頂端が前記伝動歯車に挿設されることを特徴とする請求項１に記載の歯車焦点調整ライト。
【請求項７】
前記位置規制部の底端面は、前記筐体の内側底面に接合され、
接続部の外側面には、シールリングが嵌設されることを特徴とする請求項２に記載の歯車焦点調整ライト。
【考案の詳細な説明】
【技術分野】
【０００１】
本考案は、ライトに関し、特に、歯車焦点調整ライトに関するものである。
【背景技術】
【０００２】
社会の進歩に伴い、個々人が求めるレベルは向上し続け、身の回りにある物が常に発展し、照明器具のような生活必需品も徐々に発展しており、人々の照明器具に対する要求も徐々に高まっている。状況に応じて光角度が異なるライトを使用し、様々な照明効果を得ていた。しかし、従来のライトは焦点を調整することができない上、出光角度が固定されていた。そのため、場所に応じて異なる光角度が得られるように、異なる光角度を有するライトをそれぞれ購入しなければならず、ユーザの購買コスト及び装着コストが大幅に増加し、実用的でなかった。
【考案の概要】
【考案が解決しようとする課題】
【０００３】
本考案の目的は、焦点調整ができず、出光角度が固定されていた従来のライトの問題点を改善する歯車焦点調整ライトを提供することにある。
【課題を解決するための手段】
【０００４】
上記課題を解決するために、本考案の第１の形態によれば、筐体と、前記筐体上に取付けられた調節つまみと、前記筐体内に取付けられたラックギヤアセンブリと、歯車アセンブリと、光源と、レンズと、を備えた、歯車焦点調整ライトであって、前記筐体上には、出光口が設けられ、前記レンズ、前記光源及び前記ラックギヤアセンブリは、前記出光口に外側から内側にかけて順次配設され、前記光源は、前記レンズの一側の前記ラックギヤアセンブリ上に取付けられるとともに前記レンズに対して内外対向配置され、前記歯車アセンブリは、前記調節つまみの内側面上に取付けられ、前記歯車アセンブリ上には、伝動歯車が配設され、前記ラックギヤアセンブリ上には、ラックギヤフレームが設けられ、前記ラックギヤアセンブリの底面中央部には、上下に完全に貫通した位置調整長孔が形成され、前記位置調整長孔は、出光方向で前後に延びて形成されるとともに、延伸方向の内側面上に配設されたラックギヤを有し、前記伝動歯車は、前記ラックギヤと噛合されることを特徴とする、歯車焦点調整ライトを提供する。
【０００５】
前記調節つまみは、調節部と、前記調節部の内側に配設された位置規制部と、を有し、  前記調節部は、前記筐体の外側に配設され、前記位置規制部は、前記筐体の内側に配設され、前記伝動歯車は、前記位置規制部上に配設されることが好ましい。
【０００６】
前記筐体の底面上には、底壁に上下に完全に貫通した貫通孔が形成され、前記調節つまみは、前記調節部及び前記位置規制部に接続された接続部を有し、前記接続部は、前記貫通孔内に挿通されることが好ましい。
【０００７】
前記筐体の内側の互いに対向した両側面上には、スライド溝がそれぞれ形成され、スライド溝フレームの両側は、対応した前記スライド溝内にそれぞれ係合されるとともに、前記スライド溝の前後で移動することが好ましい。
【０００８】
前記ラックギヤフレームは、底板と、前記底板の一側に配設された側板と、を有し、前記位置調整長孔は、前記底板上に形成され、前記光源は、前記側板の外側面上に取付けられることが好ましい。
【０００９】
前記歯車アセンブリは、伝動軸を有し、前記伝動軸は、底端が前記調節つまみの内側面上に接続され、頂端が前記伝動歯車に挿設されることが好ましい。
【００１０】
前記位置規制部の底端面は、前記筐体の内側底面に接合され、接続部の外側面には、シールリングが嵌設されることが好ましい。
【考案の効果】
【００１１】
本考案は、前記の通りの構成からなるものであり、筐体の外側に配設された調節つまみと、筐体内に設けられたラックギヤアセンブリと、歯車アセンブリと、を含み、上述したラックギヤアセンブリは、歯車アセンブリと噛合されるとともに、歯車アセンブリを調節つまみに接続し、調節つまみを捻ると、伝動歯車がラックギヤに噛合されて伝動し、ラックギヤ上に取付けた光源を前後に往復運動させることにより、レンズに対する光源の焦点を調整することができる。そのため、本考案の歯車焦点調整ライトは、操作し易く、構造が簡素で、低コストである上、防水性に優れ、実用的なため、普及させる価値がある。
【図面の簡単な説明】
【００１２】
【図１】本考案の一実施形態に係る歯車焦点調整ライトを示す斜視図である。
【図２】図１のライトを示す断面斜視図である。
【図３】図２の歯車装置を示す斜視図である。
【図４】本考案の一実施形態に係る筐体を示す断面斜視図である。
【図５】調節つまみと歯車部材とを組み合わせた状態を示す斜視図である。
【考案を実施するための形態】
【００１３】
以下、図面により、本考案を具体的に説明する。もっとも、本考案は、かかる図面により限定されるものではない。
【００１４】
図１〜図５を参照する。図１〜図５に示すように、本考案の一実施形態に係る歯車焦点調整ライトは、少なくとも筐体１０、調節つまみ２０、ラックギヤアセンブリ３０、歯車アセンブリ４０、光源５０及びレンズ６０から構成されてなる。上述した調節つまみ２０は、筐体１０の外側に配設される。上述した筐体１０上には、出光口１３が設けられる。光源５０は、出光口１３内に取付けられる。上述したラックギヤアセンブリ３０は、レンズ６０内側の筐体１０内に取付けられる。上述した光源５０は、ラックギヤアセンブリ３０上に取付けられるとともに、レンズ６０に対して内外対向配置される。上述した歯車アセンブリ４０は、調節つまみ２０上に接続されるとともに、筐体１０の内側に配設される。ラックギヤアセンブリ３０は、歯車アセンブリ４０と噛合される。調節つまみ２０を回転させると、歯車アセンブリ４０を介してラックギヤアセンブリ３０を伝動して光源５０が前後に移動し、レンズ６０上の光源５０を調整し、焦点を調整することができる。
【００１５】
上述した筐体１０は、底壁に上下に貫通して底面に形成された貫通孔１４を含む。筐体１０内側の互いに対向した両側面上には、スライド溝１１がそれぞれ形成されている。また、上述した筐体１０上には、取付部１２が設けられる。筐体１０は、取付部１２により任意のランプフレーム又はランプホルダ上に取付けられる。上述した歯車アセンブリ４０は、伝動歯車４１と、伝動歯車４１上に取付けられた伝動軸４２と、を含む。上述した伝動歯車４１及び調節つまみ２０は、筐体１０の内外両側にそれぞれ配設される。伝動軸４２は、貫通孔１４に挿通され、伝動歯車４１及び調節つまみ２０上に両端がそれぞれ接続される。
【００１６】
上述した調節つまみ２０は、調節部２１と、位置規制部２２と、調節部２１及び位置規制部２２に接続された接続部２３と、を含む。上述した調節部２１は、筐体１０の外側に設けられ、位置規制部２２は、筐体１０内に設けられ、位置規制部２２の底端面が筐体１０の内側底面に接合される。上述した接続部２３は、貫通孔１４内に挿通される。接続部２３の外側面上には、シールリング２４が嵌設され、高い防水密封効果が得られる。また、上述した伝動軸４２の底端は、調節つまみ２０の内側面中央部に取付けられるか一体成形され、伝動軸４２の頂部は、上述した伝動歯車４１上に挿設される。
【００１７】
上述したラックギヤアセンブリ３０は、ラックギヤフレーム３１と、ラックギヤフレーム３１上に取付けられた電源などの電気製品３２と、を含む。上述したラックギヤフレーム３１は、底板３１１と、底板３１１の一側に配設された側板３１２と、を含む。上述した側板３１２は、筐体１０の出光口１３の一側に配設される。上述した底板３１１の両側には、筐体１０の２つのスライド溝１１内にそれぞれ取付けられ、底板３１１の中央部には、帯状の位置調整長孔３１３が形成される。上述した位置調整長孔３１３は、筐体１０の出光方向で前後に延びて形成されている。位置調整長孔３１３は、延伸方向の内側面上にラックギヤが配設される。上述した伝動歯車４１は、ラックギヤと噛合される。本実施形態において、上述した位置調整長孔３１３のうちの一側面上には、ラックギヤが配設される。ここでラックギヤは、位置調整長孔３１３の２つの対向側面上に配設される。また、上述した電気製品３２は、側板３１２の内側面上に取付けられ、上述した光源５０は、側板３１２の外側面上に取付けられるとともに、レンズ６０の前後に対応して設置される。
【００１８】
焦点を調整する場合、上述した調節つまみ２０を回すと、伝動歯車４１が回転し、伝動歯車４１によりラックギヤを前方又は後方へ移動させ、光源５０をラックギヤアセンブリ３０上に取付け、ラックギヤフレーム３１により光源５０を前後へ移動させて光源５０とレンズ６０との間の距離を調節し、照明器具の光の焦点を調整する。
【００１９】
上述したことから分かるように、本考案の歯車焦点調整ライトは、筐体１０の外側に配設された調節つまみ２０と、筐体１０内に設けられたラックギヤアセンブリ３０と、歯車アセンブリ４０と、を含み、上述したラックギヤアセンブリ３０は、歯車アセンブリ４０と噛合されるとともに、歯車アセンブリ４０を調節つまみに接続し、調節つまみ２０を捻ると、伝動歯車４１がラックギヤに噛合されて伝動し、ラックギヤ上に取付けた光源５０を前後に往復運動させることにより、レンズ６０に光源５０の焦点を合わせることができる。そのため、本考案の歯車焦点調整ライトは、操作し易く、構造が簡素で、低コストである上、防水性に優れ、実用的なため、普及させる価値がある。
【符号の説明】
【００２０】
１０  筐体
１１  スライド溝
１２  取付部
１３  出光口
１４  貫通孔
２０  調節つまみ
２１  調節部
２２  位置規制部
２３  接続部
２４  シールリング
３０  ラックギヤアセンブリ
３１  ラックギヤフレーム
４０  歯車アセンブリ
４１  伝動歯車
４２  伝動軸
５０  光源
６０  レンズ
３１１  底板
３１２  側板
３１３  位置調整長孔
【図１】
0003228549.tif 000003
【図２】
0003228549.tif 000004
【図３】
0003228549.tif 000005
【図４】
0003228549.tif 000006
【図５】
0003228549.tif 000007